(57)【特許請求の範囲】
【請求項１】
ナイロン部材を含んだ所定形状の大きさにされた荷札と、裏側に感熱材を塗布した所定形状の送り状とを切取線で繋げた第１の紙体と、
前記第１の紙体の前記送り状と同じ大きさにされて、前記送り状の下に設けられて前記切取線付近で圧着されて前記送り状への熱圧着時の文字が複写された第２の紙体と、
前記第１の紙体を最上位に、前記第２の紙体が前記送り状の下にされて、前記切取線の付近と前記荷札の枠領域とで台紙に圧着されてなる複写式サーマル送り状伝票。
【請求項２】
前記荷札は、
荷受人コードと、顧客管理番号と、配送年月日と、問合番号と、着店コードと、荷受人情報と、荷送人情報と、バーコードと、数量とが印字され、
前記送り状は、
荷受人コードと、配送年月日と、問合番号と、荷受人情報と、荷送人情報と、バーコードと、数量と、便名と、保険金額と、配達指定日とが印字され、
前記第２の紙体は、到着原票となり、
該到着原票には前記荷受人からの受領印欄が設けられていることを特徴とする請求項１記載の複写式サーマル送り状伝票。
【請求項３】
前記台紙には、
宅配会社名と宅配会社のマークと礼状メッセージが印字されていることを特徴とする請求項１記載の複写式サーマル送り状伝票。
【請求項４】
前記第１の紙体の荷札部は、
予め転写不可な形式で、荷札枠、荷札名、荷受人欄、荷送人欄、数量欄が設けられ、
前記送り状部は、
予め転写不可な形式で、送り状枠、荷受人欄、荷送人欄、数量欄が設けられており、
前記第２の紙体は、
予め転写不可な形式で、到着原票枠、荷受人欄、荷送人欄、数量欄、受領印欄が設けられている
ことを特徴とする請求項１、２又は３記載の複写式サーマル送り状伝票。
【請求項５】
前記到着原票の到着原票名は、前記送り状の送り状名の直下になるように、前記転写不可な形式で設けられている
ことを特徴とする請求項１、２、３又は４記載の複写式サーマル送り状伝票。
【請求項６】
前記到着原票は、前記第１の紙体の送り状、荷札とは異なる色の到着原票枠、荷受人欄、荷送人欄、数量欄、受領印欄にされていることを特徴とする請求項１、２、３、４又は５記載の複写式サーマル送り状伝票。
【発明の詳細な説明】
【０００１】
【発明の属する技術分野】
本発明は、宅配便等の運輸業に用いる荷札、送り状に関する。
【０００２】
【従来技術】
一般に圧着式伝票の運用は、図６に示すように、荷送人の顧客端末にて荷札を印刷し、伝票を宅配便業者（ＳＣＳ）のホストコンピュータへ送信し、荷札を張った荷物を最寄営業店から集荷する。
【０００３】
次に宅配業者から各営業店へ伝票データを送信する。そして、荷物の着店となる営業店で配信された伝票データを元に、送り状、到着原票を印刷する。次に、荷物と送り状・到着原票を印刷する。
【０００４】
次に、荷物と送り状・到着原票を持って荷受人に配達する。そして、到着原票に受領印を押印してもらい、送り状と荷物とを荷受人に渡す。
【０００５】
しかし、圧着式の場合、伝票データを送信して営業店で出力している都合上、伝票データの送信が遅れるとトラックが出発できずに配達が遅れる場合がある。
【０００６】
そこで、営業店での出力が間に合わない場合は、仮伝票を使用して早く荷受人に配達するようにしていた。
【０００７】
【発明が解決しようとする課題】
しかしながら、圧着式の場合、伝票データを送信して営業店で出力している都合上、伝票データの送信が遅れるとトラックが出発できずに配達が遅れる場合がある。また、営業店での出力が間に合わない場合は、仮伝票を使用することができるが運用が複雑になるという課題があった。
【０００８】
また、宅配業者が送り状、到着原票を作成しなければならないので、宅配業者側にとっては手間がかかるという課題があった。
【０００９】
本発明は上記課題を鑑みてなされたもので、顧客から荷物の配送要望があったとき宅配業者が送り状、到着原票を作成しなくとも顧客が作成した伝票のみで荷受人にスムーズに荷物を届けることができると共に、宅配業者のシステムの運用が複雑にならないで済む複写式サーマル送り状伝票を得ることを目的とする。
【００１０】
【課題を解決するための手段】
本発明の複写式サーマル送り状伝票は、ナイロン部材を含んだ所定形状の大きさにされた荷札と、裏側に感熱材を塗布した所定形状の送り状とを切取線で繋げた第１の紙体と、前記第１の紙体の前記送り状と同じ大きさにされて、前記送り状の下に設けられて前記切取線付近で圧着されて前記送り状への熱圧着時の文字が複写された第２の紙体と、前記第１の紙体を最上位に、前記第２の紙体が前記送り状の下にされて、前記切取線の付近と前記荷札の枠領域とで台紙に圧着されてなることを要旨とする。
【００１１】
また、前記荷札は、荷受人コードと、顧客管理番号と、配送年月日と、問合番号と、着店コードと、荷受人情報と、荷送人情報と、バーコードと、数量とが印字されている。
【００１２】
前記送り状は、荷受人コードと、配送年月日と、問合番号と、荷受人情報と、荷送人情報と、バーコードと、数量と、便名と、保険金額と、配達指定日とが印字されている。
【００１３】
前記第２の紙体は、到着原票となり、該到着原票には前記荷受人からの受領印欄が設けられている。
【００１４】
また、前記台紙には、宅配会社名と宅配会社のマークと礼状メッセージが印字されている。
【００１５】
【発明の実施の形態】
図１は本発明の複写式サーマル送り状伝票の説明図である。図１に示す複写式サーマル送り状伝票１（以下複写式サーマル伝票１という）は、２枚綴りの伝票であり、一枚目を点線（以下切取線２という）で半分に区切って２当分し、上部が荷札３にされており、荷札３には荷受人コードと、顧客管理番号と、年月日と、問合番号と、着店コード（４−１５）と、荷受人住所、荷送人住所、バーコード等が熱圧着で印字されている。この荷札３の領域の紙はナイロン材が混入され、裏側には感熱材が塗布されていない。
【００１６】
また、１枚目の下部は送り状５にされており、送り状５には荷受人コードと、問合番号と、年月日と、荷受人住所、荷送人住所と、配達指定日と、バーコード等が熱圧着で印字されている。この送り状は薄いサーマル紙（カーボン紙）であり、裏には感熱材５ａが塗布されている。
【００１７】
また、一枚目の下の２枚目は到着原票６であり、一枚目の下部の送り状５と同じ大きさにされて切取線当たりで一枚目の送り状と重ね合わせで密着されている。
【００１８】
このような複写サーマル伝票１は、台紙７に対して切取線２及び荷札３の周囲枠が台紙７に圧着され、送り状５に印字された文字が２枚目の到着原票に複写されるようになっている。このような複写式サーマル伝票の大きさはハガキ程度の大きさであることが望ましい。
【００１９】
すなわち、図２に示すように、１枚目の切取線２を中心として１枚目の下部の送り状５、２枚目の送り状５の下の到着原票６は捲れるようになってる。
【００２０】
さらに、台紙７の表面は図３に示すように、宅配会社名と、宅配会社からのメッセージが印字され、裏の上側には黒線が横に印字されている。
【００２１】
このような、複写式サーマル伝票１は、図４に示すようなシステム構成で印字出力される。
【００２２】
図４に示すシステムは、顧客端末８と専用複写式サーマルプリンタ９とレーザプリンタ１０とをＬＡＮで接続し、顧客端末１が宅配会社で生成したセットアップＣＤ−ＲＯＭのブラウザ機能でのホームペイジを開き、このホームペイジの各種ソフトウエアキーの選択で、インターネットサーバ２から荷送人情報、荷受人情報、伝票番号等を転送させて、複写式サーマル伝票１、荷物受渡書等を得る。
【００２３】
そして、ホームペイジのキー選択によって、送り状作成入力画面、個別必須設定ファイル情報画面等を開いて、顧客が所望する形式の送り状を作成する（各種伝票作成機能）。例えば、複写式サーマル伝票１は専用複写式サーマルプリンタ９で印字し、荷物受渡書はレーザプリンタ１０で印字させる。
【００２４】
つまり、複写式サーマルプリンタ９に複写式サーマル伝票の原票（一枚目と２枚目とを台紙７に重ねた原票）をセットし、顧客端末を用いて対話形式で複写式サーマル伝票１を得る。
【００２５】
このサーマル伝票１の１枚目の上部である荷札３には荷受人コードと、顧客管理番号と、年月日と、問合番号と、着店コード（４−１５）と、荷受人住所、荷送人住所、バーコード等が熱圧着で印字されることになる。
【００２６】
また、下部の送り状５には、荷受人コードと、問合番号と、年月日と、荷受人住所、荷送人住所と、配達指定日と、バーコード等が熱圧着で印字される。この送り状５の裏５ａには感熱材が塗布されているため、送り状５に印字された文字がそのまま到着原票７に熱圧着で印字される。
【００２７】
また、荷物受渡書は、顧客の配送する荷物に対しての送り先、発注番号、伝票番号等を表にしたものであり、これも複写式サーマル伝票１を印刷したときに、同時に得るようにする。
【００２８】
従って、図５に示すように、台紙７に貼られた２枚綴りの複写式サーマル伝票を得るので、荷送人は荷物受渡書を控えとし、ドライバは複写式サーマル伝票１を荷物に貼って、荷受人には送り状５を渡し、捺印を押してもらった到着原票６をドライバが持ち帰ることになるので、顧客から荷物の配送要望があったとき宅配業者が送り状、到着原票を作成しなくとも顧客が作成した伝票のみで荷受人にスムーズに荷物を届けることができると共に、宅配業者のシステムの運用が複雑にならないで済む。
【００２９】
【発明の効果】
以上のように本発明の複写式サーマル送り状伝票は、ナイロン部材を含んだ所定形状の大きさにされた荷札と、裏側に感熱材を塗布した所定形状の送り状とを切取線で繋げた第１の紙体と、この送り状の下に切取線付近で圧着されて送り状への熱圧着時の文字が複写された第２の紙体とを設け、これらの紙体を切取線の付近と荷札の枠領域とで台紙に圧着した構成としたので、一枚の伝票で荷札と送り状と到着原票とを得ることになる。
【００３０】
このため、顧客側でこの複写式サーマル送り状伝票を作成するだけで、宅配業者が送り状、到着原票を作成しなくともよいので、荷受人に顧客からの荷物をより早く配達することできるという効果が得られている。
【００３１】
また、送り状に荷受人コードと、配送年月日と、問合番号と、荷受人情報と、荷送人情報と、バーコードと、数量と、便名と、保険金額と、配達指定日とを熱圧着するだけで、下の到着伝票に同様な内容が複写されるので、この到着原票を切り取って受領印をもらうだけでよい。
【００３２】
また、到着原票の枠、欄は送り状及び荷札とは異なる色にされているので、間違って渡すということがない。
【図面の簡単な説明】
【図１】本実施の形態の複写式サーマル伝票の説明図である。
【図２】本実施の形態の複写式サーマル伝票の説明図である。
【図３】本実施の形態の複写式サーマル伝票の台紙の説明図である。
【図４】複写式サーマル伝票を得るための顧客端末のシステム構成図である。
【図５】本実施の形態の複写式サーマル伝票の運用を説明する説明図である。
【図６】従来の圧着式伝票の運用を説明する説明図である。
【符号の説明】
１  複写式サーマル送り状伝票
２  切取線
３  荷札
５  送り状
５ａ  感熱材
６  到着原票
７  台紙
【図１】
0003824858.tif 000002
【図２】
0003824858.tif 000003
【図３】
0003824858.tif 000004
【図４】
0003824858.tif 000005
【図５】
0003824858.tif 000006
【図６】
0003824858.tif 000007